(57)【特許請求の範囲】
【請求項１】
コンテンツを複製するコンテンツ複製手段と、
前記コンテンツ複製手段によって複製された前記コンテンツが再生される場合に自動的に再生される自動視聴コンテンツに関する情報を生成する情報生成手段と、
前記情報生成手段が生成した前記情報を、前記コンテンツ複製手段が複製する前記コンテンツに付加する情報付加手段と、を備え、
前記情報生成手段は、前記コンテンツの複製世代数が多いほど前記自動視聴コンテンツの再生時間が長くなるように前記情報を生成するコンテンツ複製装置。
【請求項２】
コンテンツを複製するコンテンツ複製手段と、
前記コンテンツ複製手段によって複製された前記コンテンツが再生される場合に自動的に再生される自動視聴コンテンツに関する情報を生成する情報生成手段と、
前記情報生成手段が生成した前記情報を、前記コンテンツ複製手段が複製する前記コンテンツに付加する情報付加手段と、を備え、
前記情報生成手段は、前記コンテンツの複製世代数が多いほど再生回数が多くなるように前記情報を生成するコンテンツ複製装置。
【請求項３】
前記情報生成手段は、前記コンテンツ複製手段によって複製された前記コンテンツが再生されるときにおける前記自動視聴コンテンツの再生位置情報を含む前記情報を生成する、請求項１又は２に記載のコンテンツ複製装置。
【請求項４】
１複製世代における前記コンテンツの複製回数を計数する複製回数カウント手段をさらに備え、
前記コンテンツ複製手段は、前記複製回数カウント手段が計数した前記コンテンツの複製回数が制限値に達しているときは、前記コンテンツの複製を禁止する、請求項１〜３のいずれか１項に記載のコンテンツ複製装置。
【請求項５】
１複製世代における前記コンテンツの複製回数を計数する複製回数カウント手段をさらに備え、
前記情報付加手段は、前記複製回数カウント手段が計数した前記コンテンツの複製回数が制限値に達した後に、前記情報生成手段が生成した前記情報を、前記コンテンツ複製手段が複製する前記コンテンツに付加する、請求項１〜３のいずれか１項に記載のコンテンツ複製装置。
【請求項６】
前記コンテンツ複製手段によって複製された前記コンテンツに付加されている前記情報を解析する情報解析手段と、
前記情報解析手段によって解析された前記情報に従って、前記コンテンツ複製手段によって複製された前記コンテンツと、前記自動視聴コンテンツとを再生するコンテンツ再生手段と、
を備えた請求項１〜５のいずれか１項に記載のコンテンツ複製装置。
【請求項７】
前記情報生成手段は、前記自動視聴コンテンツをネットワークから受信するための受信情報を含む前記情報を生成し、
前記情報解析手段は、前記情報に含まれた前記受信情報を解析し、
前記コンテンツ再生手段は、前記情報解析手段によって解析された前記受信情報に従って、前記自動視聴コンテンツをネットワークから受信し、受信した前記自動視聴コンテンツを再生する、請求項６に記載のコンテンツ複製装置。
【請求項８】
情報生成手段が、複製されたコンテンツが再生される際に自動的に再生される自動視聴コンテンツに関する情報を生成し、
コンテンツ複製手段が、コンテンツを複製し、
情報付加手段が、前記情報生成手段が生成した前記情報を、前記コンテンツ複製手段が複製する前記コンテンツに付加し、
前記情報生成手段は、前記コンテンツの複製世代数が多いほど前記自動視聴コンテンツの再生時間が長くなるように前記情報を生成するコンテンツ複製方法。
【請求項９】
情報生成手段が、複製されたコンテンツが再生される際に自動的に再生される自動視聴コンテンツに関する情報を生成し、
コンテンツ複製手段が、コンテンツを複製し、
情報付加手段が、前記情報生成手段が生成した前記情報を、前記コンテンツ複製手段が複製する前記コンテンツに付加し、
前記情報生成手段は、前記コンテンツの複製世代数が多いほど前記自動視聴コンテンツの再生回数が多くなるように前記情報を生成するコンテンツ複製方法。
【請求項１０】
コンテンツ複製装置をコンピュータにより制御するための制御プログラムであって、
前記コンピュータを、
コンテンツを複製するコンテンツ複製手段と、
前記コンテンツ複製手段によって複製された前記コンテンツが再生される場合に自動的に再生される自動視聴コンテンツに関する情報を生成する情報生成手段と、
前記情報生成手段が生成した前記情報を、前記コンテンツ複製手段が複製する前記コンテンツに付加する情報付加手段と、して機能させ、
前記情報生成手段に、前記コンテンツの複製世代数が多いほど前記自動視聴コンテンツの再生時間が長くなるように前記情報を生成させる、
制御プログラム。
【請求項１１】
コンテンツ複製装置をコンピュータにより制御するための制御プログラムであって、
前記コンピュータを、
コンテンツを複製するコンテンツ複製手段と、
前記コンテンツ複製手段によって複製された前記コンテンツが再生される場合に自動的に再生される自動視聴コンテンツに関する情報を生成する情報生成手段と、
前記情報生成手段が生成した前記情報を、前記コンテンツ複製手段が複製する前記コンテンツに付加する情報付加手段と、して機能させ、
前記情報生成手段に、前記コンテンツの複製世代数が多いほど再生回数が多くなるように前記情報を生成させる、
制御プログラム。
【発明の詳細な説明】
【技術分野】
【０００１】
本発明はコンテンツ複製装置、コンテンツ複製方法及び制御プログラムに関し、特に過剰なコンテンツの複製を防止しつつコンテンツの複製を行うコンテンツ複製装置、コンテンツ複製方法及び制御プログラムに関するものである。
【背景技術】
【０００２】
地上波デジタル放送に代表される高品質の動画像や録画したコンテンツ等を、ある機器から別の機器へ複製するためには著作権保護規制の問題上、コピーガード機能に基づいて行う必要がある。現在ではコピーワンスやダビング１０等の案がその対応として挙げられる。
【０００３】
コピーワンスとは、制限の無いコピーによるデータの複製が氾濫しないようにコピー制御信号を含んだデータを、例えばＨＤＤ（Hard  Disk  Drive）レコーダやＤＶＤ（Digital  Video  Disc）レコーダに録画するとそれ以降のデジタルコピーが不可になるといったものである。この場合、レコーダに録画した時点でコンテンツの1度目の複製と判断されるため、デジタルコンテンツを所持した機器Ａから機器Ｂへコンテンツを移動させる時、機器間のデータのやり取りは複製ではなくムーブと呼ばれる機能によってコンテンツを移動という形でならば許可される。機器Ａ内で保持していたコンテンツは転送と共に消去もしくはアクセス不可にするため、オリジナルとなるコンテンツデータは常に一箇所にしか存在させないようにする。また、コピーワンスの規制緩和案として検討されているダビング１０においても、複製の作成許可数および世代数に制限を与える（具体的には、放送を受信して作成したコンテンツデータについて、１世代９個まで複製可能）ことで複製の許可を実現している。
【０００４】
また、特許文献１では、インターネットを用いたコンテンツの配信において、コンテンツの複製が不可能または制御された配信方法を用いると共に、配信制御用の媒体の管理機能を強化し、さらに配信されるコンテンツにスポンサの広告を付加することを条件として、配信制御用の媒体の購入代金の減額あるいは無料化を行うサービスシステムが開示されている。
【特許文献１】特開２００５−２８６７０３号公報
【発明の開示】
【発明が解決しようとする課題】
【０００５】
しかしながら、上記のような技術では、ユーザは複製回数を制限されることに変わりは無い。一方、コンテンツの複製を無制限としてしまうと、コンテンツを提供する側の著作権を十分に保護することができない。
【０００６】
したがって、上記従来方式では、コンテンツを提供する側及びコンテンツを提供される側の双方のメリットを十分に満たしてはいない。また、従来のコピーワンス技術では、孫データのコピーが不可能なため、例えばオリジナルデータが保存してあるＨＤＤレコーダが破損した場合、もしまだコピー可能残数があったとしてもそれは失効する事となる。無論、１世代のみの複製を許可するＣＯＧ（Copy  One  Generation)の観点から、子コピーであるＤＶＤやモバイル機器にデータを複製していたとしても、放送からレコーダへ録画したものが１世代目とカウントされるため、それら子コピーを元にした複製の作成は不可能である。
【０００７】
本発明は、かかる事情に鑑みてなされたものであり、その目的は、過剰なコンテンツの複製を防止しつつコンテンツの複製を行うコンテンツ複製装置、コンテンツ複製方法及び制御プログラムを提供することにある。
【課題を解決するための手段】
【０００８】
本発明は、コンテンツを複製するコンテンツ複製手段と、コンテンツ複製手段によって複製されたコンテンツが再生される場合に自動的に再生される自動視聴コンテンツに関する情報を生成する情報生成手段と、情報生成手段が生成した情報を、コンテンツ複製手段が複製するコンテンツに付加する情報付加手段と、を備え、情報生成手段は、コンテンツの複製世代数が多いほど前記自動視聴コンテンツの再生時間が長くなるように情報を生成するコンテンツ複製装置である。
また、本発明は、コンテンツを複製するコンテンツ複製手段と、コンテンツ複製手段によって複製された前記コンテンツが再生される場合に自動的に再生される自動視聴コンテンツに関する情報を生成する情報生成手段と、情報生成手段が生成した情報を、コンテンツ複製手段が複製するコンテンツに付加する情報付加手段と、を備え、情報生成手段は、コンテンツの複製世代数が多いほど再生回数が多くなるように情報を生成するコンテンツ複製装置である。
【０００９】
また、本発明は、情報生成手段が、複製されたコンテンツが再生される際に自動的に再生される自動視聴コンテンツに関する情報を生成し、コンテンツ複製手段が、コンテンツを複製し、情報付加手段が、情報生成手段が生成した情報を、コンテンツ複製手段が複製するコンテンツに付加し、情報生成手段は、コンテンツの複製世代数が多いほど自動視聴コンテンツの再生時間が長くなるように情報を生成するコンテンツ複製方法である。
また、本発明は、情報生成手段が、複製されたコンテンツが再生される際に自動的に再生される自動視聴コンテンツに関する情報を生成し、コンテンツ複製手段が、コンテンツを複製し、情報付加手段が、情報生成手段が生成した情報を、コンテンツ複製手段が複製するコンテンツに付加し、情報生成手段は、コンテンツの複製世代数が多いほど自動視聴コンテンツの再生回数が多くなるように情報を生成するコンテンツ複製方法である。
また、本発明は、コンテンツ複製装置をコンピュータにより制御するための制御プログラムであって、前記コンピュータを、コンテンツを複製するコンテンツ複製手段と、前記コンテンツ複製手段によって複製された前記コンテンツが再生される場合に自動的に再生される自動視聴コンテンツに関する情報を生成する情報生成手段と、前記情報生成手段が生成した前記情報を、前記コンテンツ複製手段が複製する前記コンテンツに付加する情報付加手段と、して機能させ、前記情報生成手段に、前記コンテンツの複製世代数が多いほど前記自動視聴コンテンツの再生時間が長くなるように前記情報を生成させる、制御プログラムである。
また、本発明は、コンテンツ複製装置をコンピュータにより制御するための制御プログラムであって、前記コンピュータを、コンテンツを複製するコンテンツ複製手段と、
前記コンテンツ複製手段によって複製された前記コンテンツが再生される場合に自動的に再生される自動視聴コンテンツに関する情報を生成する情報生成手段と、前記情報生成手段が生成した前記情報を、前記コンテンツ複製手段が複製する前記コンテンツに付加する情報付加手段と、して機能させ、前記情報生成手段に、前記コンテンツの複製世代数が多いほど再生回数が多くなるように前記情報を生成させる、制御プログラムである。
【発明の効果】
【００１０】
本発明のコンテンツ複製装置及びコンテンツ複製方法によれば、過剰なコンテンツの複製を防止しつつコンテンツの複製を行うことが可能となる。
【発明を実施するための最良の形態】
【００１１】
以下、図面を参照しつつ本発明に係るコンテンツ複製装置及びコンテンツ複製方法の好適な実施形態について詳細に説明する。
【００１２】
以下の説明では、本発明に係るコンテンツ複製装置をＨＤＤレコーダとして構成し、製元機器であるＨＤＤレコーダがコンテンツを複製し、複製先機器であるＨＤＤレコーダが複製されたコンテンツを受信した後、当該複製されたコンテンツの再生を行う例について説明する。
【００１３】
本実施形態では、コンテンツを複製する際に、複製したコンテンツの先頭もしくは途中に再生されるプロモーションや広告情報といった強制視聴コンテンツと、コンテンツと強制視聴コンテンツとの再生順序を示すメタファイルを生成する。
【００１４】
１複製世代以降の複製先機器がコンテンツを再生するときは、生成したメタファイルに従って、コンテンツの最初もしくは途中に強制視聴コンテンツを再生してからでなければコンテンツの再生を開始しない。１複製世代以降の複製先機器でも複製は可能とするが、１複製世代でのコンテンツ複製回数の制限、および複製により複製世代を重ねる度にコンテンツと共に再生される強制視聴コンテンツの再生回数又は強制視聴コンテンツの再生時間が増えていくため、不正な過剰コピーの数を抑制することができる。
【００１５】
図１は、本発明の実施形態に係るＨＤＤレコーダ１１ａのハードウェアの構成を示すブロック図である。図１に示すように、ＴＶチューナ２１には、図示されていないアンテナが受け取った放送波の信号がアンテナ線２１ａを通じて入力されている。ＴＶチューナ２１は入力される信号について復調等を行ってアナログ映像信号を出力する。このアナログ映像信号は、ＡＤＣ(Ａｎａｌｏｇ  Ｔｏ  Ｄｉｇｉｔａｌ  Ｃｏｎｖｅｒｔｅｒ)２２によって例えばサンプリング周波数１３．５ＭＨｚ、量子化ビット数８ビットで量子化される。同様にアナログ音声信号についてもＡＤＣ２２によって、例えばサンプリング周波数４８ｋＨｚ、量子化ビット数１６ビットで量子化される。
【００１６】
ＡＤＣ２２から出力されたデジタル映像信号とデジタル音声信号は、エンコーダ２３に入力される。エンコーダ２３は、入力されたデジタル映像信号をＭＰＥＧ２−規格に基づいて圧縮し、圧縮されたデジタル映像信号に変換して出力する。デジタル音声信号についても、例えばＡＣ（Ａｕｄｉｏ  Ｃｏｍｐｒｅｓｓｉｏｎ）−３規格に基づいて圧縮し、圧縮したデジタル音声信号に変換して出力する。
【００１７】
エンコーダ２３では、圧縮したデジタル映像信号とデジタル音声信号とを記録に適したフォーマットとなるよう信号処理を行ってデータプロセッサ２４に出力する。エンコーダ２３でエンコードされた情報やコントローラ３２で作成された管理情報は、データプロセッサ２４を介して、ＨＤＤ２５や、ＤＶＤドライブ２６に挿入されているＤＶＤ−ＲＡＭ等の光ディスクＤに記録される（このとき、ＨＤＤ２５や光ディスクＤには、映像を再生するための録画データが記録される）。
【００１８】
また、ＨＤＤ２５や、ＤＶＤドライブ２６に挿入された光ディスクＤに記録された信号は、データプロセッサ２４を介してデコーダ２７に出力される。デコーダ２７では入力された信号から映像信号と音声信号とを分離して、それぞれをデコードする機能を有している。デコーダ２７から出力された映像信号はビデオミキサ２８に入力される。ビデオミキサ２８では、フレームメモリ２９をバッファとして使用しながら、入力された映像信号とテキストデータや画像データとの合成が行われる。また、ビデオミキサ２８の出力は、ＤＡＣ３０（Ｄｉｇｉｔａｌ  Ｔｏ  Ａｎａｌｏｇ  Ｃｏｎｖｅｒｔｅｒ）により、アナログ信号に変換された後に、外部に出力される。デコーダ２７から出力された音声信号についても、同様にＤＡＣ３１でアナログ信号に変換された後に外部に出力される。
【００１９】
コントローラ３２は、ＭＰＵ（Ｍｉｃｒｏ  Ｐｒｏｃｅｓｓｉｎｇ  Ｕｎｉｔ）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。コントローラ３２は、ＲＯＭに記憶されている制御プログラムに従い上述の各モジュールを制御して、録画や再生などのセット動作を統括する。また、コントローラ３２は、ユーザの操作する図示しないリモコンの操作情報を図示しない赤外線受光部を介して受信し、その受信した情報に従って動作を制御する。さらに、コントローラ３２は、ネットワーク３に接続されている他の装置との通信を行うネットワークインタフェース（ネットワークＩ／Ｆ）３３の動作を制御する。さらにまた、コントローラ３２は、ライブラリ管理機能を提供する。
【００２０】
コントローラ３２は、ＨＤＤ２５またはＤＶＤドライブ２６による録画に用いられ、その録画に先立ち予め設定された情報に基づいて、録画予約された録画の実行を制御する。コントローラ３２は、録画に先立ち予め設定された情報をＲＯＭやＲＡＭ（またはＨＤＤ）に記憶させる。
【００２１】
そして、コントローラ３２は現在時刻を監視して、録画開始時刻になると録画動作を実行する。そして、コントローラ３２は、録画開始時刻になると、当該情報のチャンネル番号で指定されたチャンネルを選局し、録画モードに従ってエンコーダ２３を制御して録画を実行する。さらに、コントローラ３２は、録画実行中に現在時刻を監視していて、録画終了時刻になると録画動作を停止し、録画動作によって記録された信号（映像信号および音声信号）を保存する。
【００２２】
図２は、本発明の実施形態に係る複製元機器であるＨＤＤレコーダ１１ａと複製先機器であるＨＤＤレコーダ１１ｂとのソフトウェアの構成を示すブロック図である。図２に示すように、複製元機器であるＨＤＤレコーダ１１ａは、制御部（コンテンツ複製手段、メタファイル付加手段）１０１と、コンテンツ保管部１０２と、メタファイル生成部（メタファイル生成手段）１０３と、複製回数カウント部（複製回数カウント手段）１０４と、送信部１０５とを備える。
【００２３】
制御部１０１は、複製先機器であるＨＤＤレコーダ１１ｂへコンテンツを受け渡すために必要な一連の動作を制御するためのものである。コンテンツ保管部１０２は、複製先機器であるＨＤＤレコーダ１１ｂに受け渡すためのコンテンツを保管するためのものである。メタファイル生成部１０３は、複製先機器であるＨＤＤレコーダ１１ｂでどの順番で強制視聴コンテンツとコンテンツを再生させるか、またどの強制視聴コンテンツを流すのかが記されているメタファイルを生成するためのものである。複製回数カウント部１０４は、自機器で保持するコンテンツが何度複製されたのかを計数し、且つ当該複製回数を管理するためのものである。送信部１０５は、コンテンツ、メタファイル、及び複製元機器であるＨＤＤレコーダ１１ａ内に強制視聴コンテンツが保管されている場合は当該強制視聴コンテンツを、複製先機器であるＨＤＤレコーダ１１ｂへ受け渡すためのものである。
【００２４】
一方、図２に示すように、複製先機器であるＨＤＤレコーダ１１ｂは、制御部（コンテンツ再生手段）１１１と、コンテンツ保管部１１２と、メタファイル保管部１１３と、メタファイル解析部（メタファイル解析手段）１１４と受信部１１５とを備える。
【００２５】
制御部１１１は、複製元機器であるＨＤＤレコーダ１１ａからコンテンツを受けとるために必要な一連の動作を制御するためのものである。コンテンツ保管部１１２は、複製元機器であるＨＤＤレコーダ１１ａから受けとったコンテンツを保管するためのものである。メタファイル保管部１１３は、コンテンツとともに送られてきたメタファイルを保管するためのものである。メタファイル解析部１１４は、複製元機器であるＨＤＤレコーダ１１ａより受け取ったメタファイルから、どの順番で強制視聴コンテンツとコンテンツとを再生させるか、またどの強制視聴コンテンツを流すのかを解析するためのものである。受信部１１５は、コンテンツ、メタファイル、及び複製元機器であるＨＤＤレコーダ１１ａ内に強制視聴コンテンツが保管されている場合は当該強制視聴コンテンツを複製元機器であるＨＤＤレコーダ１１ａから受けとるためのものである。
【００２６】
なお、ＨＤＤレコーダ１１ａ，１１ｂは、機器によっては複製元機器のみの機能を有すもの、複製先機器のみの機能を有すもの、及び複製元機器および複製先機器の両方の機能を有すものとすることができる。複製元機器および複製先機器の両方の機能を有す機器は、図２中で図示したブロックのすべてを兼ね備えるものとする。また、ＨＤＤレコーダ１１ａ，１１ｂは、図１に示すネットワークＩ／Ｆ３３を介して、強制視聴コンテンツをインターネット経由で取得することができる。
【００２７】
図３にメタファイルのフォーマット例を示す。図３に示すように、メタファイルは、強制視聴コンテンツｌｉｎｋ２０１、強制視聴コンテンツｔｉｍｅ（又は強制視聴コンテンツｃｏｕｎｔ）２０２、及びコンテンツｌｉｎｋ２０３から成る。強制視聴コンテンツｌｉｎｋ２０１には、インターネット経由でダウンロードする強制視聴コンテンツに関する情報が指定されており、複製先機器であるＨＤＤレコーダ１１ｂは、強制視聴コンテンツｌｉｎｋ２０１の情報を使用して強制視聴コンテンツを取得する。
【００２８】
例えば、複製先機器であるＨＤＤレコーダ１１ｂは、コンテンツホルダの広告、スポンサ企業の広告、また再生機器となるＨＤＤレコーダ１１ｂ内に強制視聴コンテンツのジャンルでユーザが頻繁にＷｅｂサイトにアクセスしている記録があれば（例えば映画やスポーツといったジャンルのＷｅｂサイトにアクセスしている記録がある場合）、強制視聴コンテンツｌｉｎｋ２０１の情報を使用して、当該ジャンルに関連する強制視聴コンテンツをダウンロードする。
【００２９】
また、複製元機器であるＨＤＤレコーダ１１ａから強制視聴コンテンツの実体が共に送られてきている場合は、強制視聴コンテンツｌｉｎｋ２０１に書き込む強制視聴コンテンツのアドレスを、複製先機器であるＨＤＤレコーダ１１ｂ内で保持される強制視聴コンテンツの実体のアドレスとなるＨＤＤレコーダ１１ｂ内のＨＤＤ２５のアドレスに指定しても良い。
【００３０】
なお、複製元機器であるＨＤＤレコーダ１１ａから強制視聴コンテンツの実体を受け渡さない場合、複製作業により受け渡す全体のデータ量は削減できるが、複製先機器であるＨＤＤレコーダ１１ｂがコンテンツ再生時にインターネットへ接続して強制視聴コンテンツを取得できず、かつ自機器内の強制視聴コンテンツも使用できない場合等の条件によっては複製先機器においてコンテンツの再生ができない場合もある。
【００３１】
強制視聴コンテンツｔｉｍｅ（又は強制視聴コンテンツｃｏｕｎｔ）２０２は、再生すべき強制視聴コンテンツの量が指定される。本実施形態では、再生すべき強制視聴コンテンツの量の指定方式として、２タイプを挙げる。この再生すべき強制視聴コンテンツの量の指定方式は、それぞれ、（１）強制視聴コンテンツの再生時間が指示されている場合、（２）強制視聴コンテンツの再生回数が指示されている場合である。インターネット経由で取得する強制視聴コンテンツの量はこれらの指示により決定される。
【００３２】
コンテンツｌｉｎｋ２０３へは複製したコンテンツがどのコンテンツであるかの情報が記載されている。なお、コンテンツｌｉｎｋ２０３は、強制視聴コンテンツがユーザの指示で早送りできたり、飛ばせたりすることができないように、強制視聴コンテンツの早送り、スキップ等を制限する制御文も含んでいる。
【００３３】
図４に複製にともなう各複製世代のメタファイルの一例を示す。図４に示すように、最初は、複製世代０（Generation０）であるコンテンツが、複製元機器であるＨＤＤレコーダ１１ａ内に保存されている。この場合、コンテンツにはメタファイルは付加されていない（メタファイル０）。
【００３４】
次に、複製元機器であるＨＤＤレコーダ１１ａ内のコンテンツのバックアップをとるためか、又は別の複製先機器であるＨＤＤレコーダ１１ｂでコンテンツを鑑賞する等のためにコンテンツの複製を行う際には（複製世代１：Generation１）、当該複製されたコンテンツの再生時に、当該コンテンツの先頭又は途中で強制視聴コンテンツ（ＣＭ１）が強制的に再生されるように、コンテンツと強制視聴コンテンツとの再生順序を決定するメタファイルをコンテンツの複製と共に作成して、当該複製されたコンテンツに付加する（メタファイル１）。
【００３５】
次の複製世代２（Generation２）の複製を行う場合も、同様にして複製されたコンテンツの再生時に強制視聴コンテンツ（ＣＭ２）が強制的に再生されるように、コンテンツと強制視聴コンテンツとの再生順序を決定するメタファイルをコンテンツの複製と共に作成して、当該複製されたコンテンツに付加する（メタファイル２）。以降、複製可能な限界複製世代数をN回とし（GenerationＮ）、複製を繰り返すほど強制再生される強制視聴コンテンツ（ＣＭＮ）の再生回数、又は強制視聴コンテンツの再生時間が増加していくものとする（メタファイルＮ）。
【００３６】
複製可能な限界複製世代数Ｎを無限大としたとき、コンテンツの複製世代数の制限は無くなるが、その反面、再生される強制視聴コンテンツの再生回数又は再生時間もそれに等しく増加されるため、コンテンツの複製世代数の限界値は、ユーザが許容できる強制視聴コンテンツの再生回数又は再生時間とのトレードオフ関係で決定される。
【００３７】
図４のメタファイルは、強制視聴コンテンツが、複製されたコンテンツの先頭から順番に再生されるように再生順序を指定しているが、コンテンツを２つ以上に分割し、複製されたコンテンツの再生の途中に強制視聴コンテンツを強制的に再生するような再生順序を指定するメタファイルを作成しても良い。これにより強制視聴コンテンツを意図的にユーザが不正削除できないような分散した再生配置を設定したり、メタファイル自体を暗号化し、その中身を容易に編集できないようにすることも可能となる。複製されたコンテンツは、例えば暗号化され、直接アクセスできない構造になっており、メタファイル経由でなければ再生できない構造をとる。
【００３８】
図５に、メタファイルに指定された強制視聴コンテンツの再生位置に関する一例を示す。図４の例では、コンテンツ再生の前にすべての強制視聴コンテンツを最初に再生する例を挙げているが、図５に示す複製世代Ｎ（GenerationＮ）のメタファイルの例では、強制視聴コンテンツすべてを最初に再生せずにコンテンツを２以上のパート（コンテンツ１〜コンテンツＭ−１，コンテンツＭ）に分け、再生の途中の複数箇所で強制視聴コンテンツ（ＣＭ１〜ＣＭ２，ＣＭＮ）を再生させる。
【００３９】
以下、複製元機器であるＨＤＤレコーダ１１ａから複製先機器であるＨＤＤレコーダ１１ｂへのコンテンツ複製作業の手順について説明する。本実施形態では、コンテンツを保持する複製元機器であるＨＤＤレコーダ１１ａから別の複製先機器であるＨＤＤレコーダ１１ｂへ、又はＨＤＤレコーダ１１ａが自機器内へコンテンツを複製するとき、複製されたコピーコンテンツを再生するために強制的に再生される強制視聴コンテンツと、どの順番でどの強制視聴コンテンツとコンテンツとを再生すれば良いかを示すメタファイルを作成しコンテンツと合わせて送る。
【００４０】
図６は、本実施形態に係る複製元機器から複製先機器へのコンテンツの複製手順を示すフロー図である。図６に示すように、複製元機器であるＨＤＤレコーダ１１ａの制御部１０１は、まず複製しようとしているコンテンツが許可されている複製数を超過していないか複製回数カウント部１０４により計数された複製回数をチェックする（Ｓ１０１）。もし、複製回数が許可される複製回数の制限を超えていた場合は複製することができないため、制御部１０１は複製作業を終了する（Ｓ１０２）。
【００４１】
次に、複製元機器であるＨＤＤレコーダ１１ａは、強制視聴コンテンツの準備を行う。制御部１０１は、強制視聴コンテンツの実体を複製先機器であるＨＤＤレコーダ１１ｂへ受け渡すか否かを選択する（Ｓ１０３）。もし、強制視聴コンテンツの実体を複製先機器であるＨＤＤレコーダ１１ｂへ受け渡さない場合は、制御部１０１は、複製先機器であるＨＤＤレコーダ１１ｂにおいて強制視聴コンテンツを取得するために必要となる強制視聴コンテンツの再生時間又は再生回数を確認し、メタファイル作成の事前準備を行う（Ｓ１０４）。一方、強制視聴コンテンツの実体を複製先機器であるＨＤＤレコーダ１１ｂへ受け渡す場合は、制御部１０１は、複製元機器であるＨＤＤレコーダ１１ａが保持する強制視聴コンテンツを受け渡すのか、インターネット経由でダウンロードした強制視聴コンテンツを受け渡すのかを選択する（Ｓ１０５）。
【００４２】
インターネット経由でダウンロードした強制視聴コンテンツを受け渡こととし（Ｓ１０５）、かつ複製元機器であるＨＤＤレコーダ１１ａがインターネットに接続されているならば（Ｓ１０６）、制御部１０１は、強制視聴コンテンツをインターネット経由でダウンロードして、複製されるコンテンツへ付加する準備をする（Ｓ１０７）。インターネット経由で取得される強制視聴コンテンツの情報は、最新の強制視聴コンテンツ、もしくは複製コンテンツに対応した強制視聴コンテンツ等が選択される。
【００４３】
一方、複製元機器であるＨＤＤレコーダ１１ａが保持する強制視聴コンテンツを受け渡すこととした場合や（Ｓ１０５）、複製元機器であるＨＤＤレコーダ１１ａがインターネットの利用が出来ない場合は（Ｓ１０６）、制御部１０１は、複製元機器であるＨＤＤレコーダ１１ａ内に保持する強制視聴コンテンツを、複製されるコンテンツに付加する準備をする（Ｓ１０８）。
【００４４】
それぞれの場合における強制視聴コンテンツの準備が完了後、複製元機器であるＨＤＤレコーダ１１ａのメタファイル生成部１０３は、コンテンツと強制視聴コンテンツとの再生順を示すメタファイルを作成し（Ｓ１０９）、制御部１０１は、当該メタファイルをコンテンツの複製に付加し、送信部１０５は、メタファイル、コンテンツ、及び有る場合は強制視聴コンテンツの実体を複製先機器であるＨＤＤレコーダ１１ｂに受け渡す（Ｓ１１０）。この場合、複製回数カウント部１０４は、コンテンツの１複製世代当りの複製回数を記録する（Ｓ１１０）。なお、Ｓ１０１〜Ｓ１１０において、複製を作成する際に生じる強制視聴コンテンツの量を作業前にあらかじめユーザに提示し、ユーザが複製作業を続行するか否かを選択させるフェーズがあっても良い。
【００４５】
以下、複製先機器であるＨＤＤレコーダ１１ｂが複製されたコンテンツを再生する手順について説明する。図７は、複製先機器が複製されたコンテンツを再生する手順を示すフロー図である。図７に示すように、複製元機器であるＨＤＤレコーダ１１ａから複製先機器であるＨＤＤレコーダ１１ｂの受信部１１５が受信したメタファイルをメタファイル解析部１１４が確認し、当該メタファイルに含まれた再生順序と強制視聴コンテンツの状況を確認する（Ｓ２０１）。
【００４６】
もし、強制視聴コンテンツの実体がコンテンツと共に付加されていれば、強制視聴コンテンツの準備は完了する（Ｓ２０２）。一方、強制視聴コンテンツの実体が無かった場合（Ｓ２０２）、強制視聴コンテンツの実体を用意しないといけないため、複製先機器であるＨＤＤレコーダ１１ｂの制御部１１１は、ＨＤＤレコーダ１１ｂがインターネットに接続されているか否かを確認し（Ｓ２０３）、もし、ＨＤＤレコーダ１１ｂがインターネットに接続されていれば、制御部１１１は、メタファイルに設定されている強制視聴コンテンツの再生時間又は強制視聴コンテンツの再生回数の情報に従って強制視聴コンテンツをダウンロードし、コンテンツの再生を行う準備を行う（Ｓ２０４）。
【００４７】
もし、コンテンツに付加された強制視聴コンテンツの実体が無く（Ｓ２０２）、複製先機器であるＨＤＤレコーダ１１ｂがインターネットにも接続されていない場合（Ｓ２０３）、複製先機器であるＨＤＤレコーダ１１ｂ内に対応できる強制視聴コンテンツが保管されているのであれば（Ｓ２０５）、制御部１１１は、複製先機器であるＨＤＤレコーダ１１ｂ内に保管されている強制視聴コンテンツをメタファイルに従って準備する。
【００４８】
制御部１１１は、強制視聴コンテンツの準備が完了した場合、メタファイルに従ってコンテンツおよび強制視聴コンテンツを再生する（Ｓ２０６）。一方、強制視聴コンテンツの準備ができなかった場合、当該複製先機器であるＨＤＤレコーダ１１ｂでのコンテンツの再生は不可能となる（Ｓ２０７）。
【００４９】
なお、強制視聴コンテンツをインターネットからダウンロードする場合、上記Ｓ２０１〜Ｓ２０７ではあらかじめ再生すべき強制視聴コンテンツをダウンロードし、自器であるＨＤＤレコーダ１１ｂ内へ保存してからコンテンツの再生を行う例を挙げたが、ＨＤＤレコーダ１１ｂがポータルサイトへアクセスし、複製されたコンテンツの再生中に強制視聴コンテンツを流すべきタイミングでストリーミング再生すること等で対処してもよい。
【００５０】
図８に従来方式と本実施形態の方式との選択に関するフローチャートを示す。ここで従来方式はダビング１０を例に挙げる。複製先機器であるＨＤＤレコーダ１１ａの制御部１０１及び複製回数カウント部１０４は、複製対象となるコンテンツが、複製を行ったことの無い０世代目のコンテンツかどうかを確認する（Ｓ３０１）。複製対象となるコンテンツが０世代目のコンテンツだった場合、複製回数カウント部１０４は複製のたびに複製回数を計数し、もしダビング１０で許容している１複製世代内において９回以内での複製であれば従来方式の複製手順に従う（Ｓ３０２）。
【００５１】
一方、複製対象のコンテンツが０世代目のコンテンツではないか（Ｓ３０１）、０世代目のコンテンツであってもすでに9回の複製を終えていた場合、制御部１０１は、図６で説明したＳ１０１〜Ｓ１１０の方式により複製を行う。制御部１０１は、複製方式を決定した後、当該コンテンツの複製を行う（Ｓ３０４）。従来方式としてダビング１０を挙げたが、別の複製方式へも本実施形態の複製方法は対応することができ、これに挙げる限りではない。
【００５２】
図９にコンテンツの複製過程の一例を示す。図９中において、“Ｄａｔａ”とはコンテンツのデータを示し、“ＣＭ”とは強制視聴コンテンツを示す。複製先機器であるＨＤＤレコーダ１１ａ内に保持するコンテンツを他の機器へ複製する際には、上述したように、再生順序と強制視聴コンテンツに関する情報が記載されたメタファイルを作成し、コンテンツと共に他機器へ受け渡す。強制視聴コンテンツは複製先機器でインターネット４を介して適切な強制視聴コンテンツを取得するか、複製先機器であるＨＤＤレコーダ１１ｂ内に保持していた強制視聴コンテンツを利用するか、又は複製元機器であるＨＤＤレコーダ１１ａが強制視聴コンテンツの実体を複製先機器であるＨＤＤレコーダ１１ｂに受け渡しても良い。
【００５３】
上記インターネット経由で取得する適切な強制視聴コンテンツとは、例えば、複製するコンテンツがＡ社配給の映画の場合、Ａ社と関連がある最新の映画予告やこれからリリースされるセルＤＶＤの情報等や、スポンサ会社の広告等である。ＨＤＤレコーダ１１ａはメタファイルと強制視聴コンテンツをコンテンツと共に、１複製世代目のコンテンツの複製（子コピー）をモバイル機器５０ａ、ＤＶＤメディア６０ａ、又はＨＤＤレコーダ１１ｂへと送信することができる。また、子コピーを受信したモバイル機器５０ａ、ＤＶＤメディア６０ａ、及びＨＤＤレコーダ１１ｂでこの複製されたコンテンツを再生する場合は、メタファイル内で指示される再生順序に従って、強制視聴コンテンツとコンテンツを再生する。また、これら子の機器が更に２複製世代目のコンテンツの複製（孫コピー）を作成する場合、先ほどと同様の手順でメタファイルの作成を行い、先の強制視聴コンテンツの量を増量してコンテンツの複製を作製し、モバイル機器５０ｂ又はＤＶＤメディア６０ｂへ送信する。
【００５４】
図１０に複製回数の制限と複製世代数の関係を示す。上記例にあるようにコンテンツの複製を許可する代わりに強制視聴コンテンツの強制的な再生が複製されたコンテンツの再生にあわせて行われることとなる。本実施形態によるコンテンツの複製方法を適用すれば世代数によらず複製作業を行うことができるが、例えばユーザが複製世代１でのコンテンツの複製を大量に行った場合、最も強制視聴コンテンツの付加量が少ない条件のため大量の不正コピーの抑制にはなり難い。そのため、図１０の例では、コンテンツの複製世代数が若ければ当該１複製世代において複製できる最大の複製回数を少なく制限することでこれを解決する。
【００５５】
図１０において図示している例は、複製世代１の場合、強制視聴コンテンツ数は１でＭＡＸ複製回数は３である。複製世代２の場合、強制視聴コンテンツ数は２でＭＡＸ複製回数は４である。複製世代３の場合、強制視聴コンテンツ数は３でＭＡＸ複製数は５である。複製世代Ｎの場合、強制視聴コンテンツ数はＮでＭＡＸ複製数はＭである。強制視聴コンテンツ数の増減に従ってＭＡＸ複製数も増減する。もし、強制視聴コンテンツ数のＮが無限の場合、ＭＡＸ複製数のＭも無限となる。上記例は一例であり、強制視聴コンテンツの増減数やＭＡＸ複製数の増減数は最適な数値を使用し本例に挙げた限りではない。
【００５６】
図１１及び図１２に本実施形態のコンテンツ複製方法を実施した場合におけるビジネスモデル例を示す。図１１に示すように、ユーザ７１とコンテンツホルダ７２間の場合、コンテンツホルダ７２がユーザ７１に対してコンテンツを提供し、強制視聴コンテンツ付という条件でのコンテンツの複製権を与えることによって、ユーザ７１はコンテンツホルダ７２に対して強制視聴コンテンツの視聴（ＣＭ閲覧ｅｔｃ）効果によるコンテンツホルダ７２から提供される商品やサービスの購入の可能性、またコンテンツを複製することによって強制視聴コンテンツが他の機器へ移り別のユーザが目にする可能性が発生し、新規顧客の獲得が大いに期待される。
【００５７】
また、図１２に示すように、また、ビジネスモデル２に示すように、ユーザ７１とコンテンツホルダ７２とスポンサ７３との間の場合、図１１の例と同様に、スポンサ７３がユーザ７１へ商品やサービスのＣＭを提供することにより、大きなビジネスチャンスを生むこととなる。コンテンツホルダ７２はスポンサ７３からＣＭ掲載料を回収し、３者共に大きなメリットを得ることを実現する。上記例は一例であり、本実施形態が適用可能なモデルであれば本例に挙げた限りではない。
【００５８】
以上、説明したように、本実施形態では、コンテンツを複製する際に、複製したコンテンツの先頭もしくは途中に再生されるプロモーションや広告情報といった強制視聴コンテンツと、コンテンツおよび強制視聴コンテンツの再生順序を示すメタファイルを生成し、複製されるコンテンツに付加する。複製世代１（子コピー）以降の機器がコンテンツを再生するときは、生成したメタファイルに従って、コンテンツの最初もしくは途中に強制視聴コンテンツを再生してからでなければコンテンツの再生を開始しない。複製世代１以降の機器の複製世代でも複製は可能とするが、１複製世代でのコンテンツ複製回数の制限と、複製により複製世代を重ねる度にコンテンツと共に再生される強制視聴コンテンツの再生回数または強制視聴コンテンツの再生時間が増えていくため、不正な過剰コピーの数を抑制しつつ、コンテンツの複製を行うことができる。
【００５９】
以上、本発明の実施の形態について説明したが、本発明は、上記実施形態に限定されるものではなく種々の変形が可能である。
【図面の簡単な説明】
【００６０】
【図１】本発明の実施形態に係るＨＤＤレコーダのハードウェアの構成を示すブロック図である。
【図２】本発明の実施形態に係る複製元機器であるＨＤＤレコーダと複製先機器であるＨＤＤレコーダとのソフトウェアの構成を示すブロック図である。
【図３】メタファイルのフォーマットの例を示す図である。
【図４】複製に伴う各世代のメタファイルの一例を示す図である。
【図５】メタファイルに指定された強制視聴コンテンツの再生位置に関する一例を示す図である。
【図６】本実施形態に係る複製元機器から複製先機器へのコンテンツの複製手順を示すフロー図である。
【図７】複製先機器が複製されたコンテンツを再生する手順を示すフロー図である。
【図８】従来の複製方式と本発明の複製方式とを選択する手順を示すフロー図である。
【図９】本実施形態に係るコンテンツの複製過程の一例を示す図である。
【図１０】複製回数の制限と世代数との関係を示す図である。
【図１１】本発明を利用したビジネスモデルの例を示す図である。
【図１２】本発明を利用したビジネスモデルの例を示す図である。
【符号の説明】
【００６１】
３…ネットワーク、４…インターネット、１１ａ，１１ｂ…ＨＤＤレコーダ、２１…チューナ、２１ａ…アンテナ線、２３…エンコーダ、２４…データプロセッサ、２５…ＨＤＤ、２６…ディスクドライブ、２７…デコーダ、２８…ビデオミキサ、２９…フレームメモリ、３０，３１…ＤＡＣ、３２…コントローラ、３３…ネットワークＩ／Ｆ、５０ａ，５０ｂ…モバイル機器、６０ａ，６０ｂ…ＤＶＤメディア、７１…ユーザ、７２…コンテンツホルダ、７３…スポンサ、１０１…制御部、１０２…コンテンツ保管部、１０３…メタファイル生成部、１０４…複製回数カウント部、１０５…送信部、１１１…制御部、１１２…コンテンツ保管部、１１３…メタファイル保管部、１１４…メタファイル解析部、１１５…受信部。
【図１】
0004786635.tif 000002
【図２】
0004786635.tif 000003
【図３】
0004786635.tif 000004
【図４】
0004786635.tif 000005
【図５】
0004786635.tif 000006
【図６】
0004786635.tif 000007
【図７】
0004786635.tif 000008
【図８】
0004786635.tif 000009
【図９】
0004786635.tif 000010
【図１０】
0004786635.tif 000011
【図１１】
0004786635.tif 000012
【図１２】
0004786635.tif 000013